(57)【要約】【課題】本考案は、換気口を取り付ける場合に壁体の内壁体と外壁体との間に隙間が生じることがなく、また水密性を維持するコーキング材が短期間の経年変化で取れたりしたりすることがない換気口を提供する。【解決手段】屋外側換気口１０のフード１２の中央部にはフード本体部１２Ａが形成され、フード本体部１２Ａの両側にはフード本体部１２Ａの上下方向寸法よりも上下方向寸法が小さいフードサイド部１２Ｂが一体形成されている。フード１２の外周部背面にはリブ板２０が形成され、フードサイド部１２Ｂの上方近傍及び下方近傍のリブ板２０にはビス孔形成部２２が形成されている。これらビス孔形成部２２にはビス孔２４が穿設されている。リブ板２０の背面側には矩形枠状のリブ突起枠部２６が背面方向に突出して一体形成されている。このリブ突起枠部２６はリブ板２０よりも上下方向寸法及び左右方向寸法が小さく設定されている。【選択図】図１
0003127837.tif 000002
【実用新案登録請求の範囲】
【請求項１】
建築物の壁体に取り付けられる換気口であって、フードと、このフードの中央部に形成されたフード本体部と、このフード本体部の両側に形成されると共に前記フード本体部の上下方向寸法よりも上下方向寸法が小さく形成されたフードサイド部と、前記フードの外周部背面に形成されたリブ板と、前記フードサイド部の上方及び下方のリブ板に形成されたビス孔と、前記リブ板の背面側に突出形成されると共に前記リブ板よりも上下方向寸法及び左右方向寸法が小さく形成されたリブ突起枠部と、を有してなることを特徴とする換気口。
【請求項２】
建築物の壁体に取り付けられる換気口であって、前方方向に向って突出して形成されたフードと、このフードの中央部に形成されたフード本体部と、このフード本体部の両側に形成されると共に前記フード本体部の上下方向寸法よりも上下方向寸法が小さく形成されたフードサイド部と、前記フード本体部の下端部に形成された開口部と、前記フードの外周部背面に形成されたリブ板と、前記フードサイド部の上方及び下方のリブ板に形成されたビス孔と、前記リブ板の背面側に突出形成されると共に前記リブ板よりも上下方向寸法及び左右方向寸法が小さく形成された矩形枠状のリブ突起枠部と、を有してなることを特徴とする換気口。
【請求項３】
建築物の壁体に取り付けられる換気口であって、前方方向に向って突出して形成されたフードと、このフードの中央部に形成されたフード本体部と、このフード本体部の両側に一体形成されると共に前記フード本体部の上下方向寸法よりも上下方向寸法が小さく形成されたフードサイド部と、前記フード本体部の下端部に形成された開口部と、前記フードの外周部背面に形成されたリブ板と、前記フードサイド部の上方近傍及び下方近傍のリブ板に形成されたビス孔と、前記リブ板の背面側に突出形成されると共に前記リブ板よりも上下方向寸法及び左右方向寸法が小さく形成された矩形枠状のリブ突起枠部と、を有してなることを特徴とする換気口。
【考案の詳細な説明】
【技術分野】
【０００１】
本考案は、建築物等の壁体に取り付けられて建築物等の換気を行う換気口に関する。
【背景技術】
【０００２】
建築物の換気等を行う装置として建築物の壁体に貫通状態で設けられた換気口取付枠体に対応して壁体の屋外側に取り付けられる屋外側換気口が従来より広く知られている。
図８に示されるように、このタイプの屋外側換気口１は前方に向ってフード２が突出した状態で設けられ、フード２の背面外周にはフード２を囲むようにして比較的幅広のフランジ部３が形成されている。また、このフランジ部３の四隅には屋外側換気口１を壁体４に取り付ける際に使用されるビスが挿通されるビス孔５が貫通形成されている。
前記屋外側換気口１を内壁体４Ａと外壁体４Ｂから構成された壁体４に取り付ける工法としては図９に示されるように壁体４の内壁体４Ａに外壁体４Ｂを取り付ける前の内壁体４Ａに屋外側換気口１を取り付ける工法と、図１０に示されるように前記壁体４の内壁体４Ａに外壁体４Ｂを取り付けた後に屋外側換気口１を外壁体４Ｂに取り付ける工法がある。
図９に示されるように、屋外側換気口１を壁体４の内壁体４Ａに外壁体４Ｂを取り付ける前の内壁体４Ａに取り付ける工法は、屋外側換気口１を壁体４の内壁体４Ａに埋設された換気口取付用枠体（図示せず）に対応させて、ビスをビス孔５に挿通させて屋外側換気口１のフランジ部３と前記内壁体４Ａを固定し、最後に前記屋外側換気口１が通過できる開口部が形成された外壁体４Ｂを室外側から内壁体４Ａに固定している。
しかし、この場合、前記内壁体４Ａと外壁体４Ｂとの間には屋外側換気口１のフランジ部３が位置するため、内壁体４Ａと外壁体４Ｂとの間に前記フランジ部３の厚み寸法分の隙間Ａが生じ、前記外壁体４Ｂを内壁体４Ａに取り付ける作業が難しくなるという不具合がある。
また、図１０に示されるように、前記壁体４の内壁体４Ａに外壁体４Ｂを取り付けた後に屋外側換気口１を壁体４の外壁体４Ｂに取り付ける工法は、屋外側換気口１を換気口取付用枠体に対応させてビスをビス孔５に挿通させて屋外側換気口１のフランジ部３と外壁体４Ｂを固定している。この場合、屋外側換気口１のフランジ部３と外壁体４Ｂの水密性を高めるために前記屋外側換気口１のフランジ部３の外側縁を適宜コーキング材６でコーキングしている。
しかし、この場合、コーキング材６は屋外側換気口１のフランジ部３の端面３Ａと外壁体４Ｂの二面で密着するだけであるので短期間の経年変化でコーキング材６が剥離したり取れたりしてしまうという不具合がある。
【考案の開示】
【考案が解決しようとする課題】
【０００３】
本考案は、上記事実に鑑みなされたものであり換気口を取り付ける場合に壁体の内壁体と外壁体との間に隙間が生じることがなく、また水密性を維持するコーキング材が短期間の経年変化で剥離したり取れたりしたりすることのない換気口を提供するものである。
【課題を解決するための手段】
【０００４】
請求項１の考案は、建築物の壁体に取り付けられる換気口であって、フードと、このフードの中央部に形成されたフード本体部と、このフード本体部の両側に形成されると共に前記フード本体部の上下方向寸法よりも上下方向寸法が小さく形成されたフードサイド部と、前記フードの外周部背面に形成されたリブ板と、前記フードサイド部の上方及び下方のリブ板に形成されたビス孔と、前記リブ板の背面側に突出形成されると共に前記リブ板よりも上下方向寸法及び左右方向寸法が小さく形成されたリブ突起枠部と、を有してなることを特徴としている。
請求項２の考案は、建築物の壁体に取り付けられる換気口であって、前方方向に向って突出して形成されたフードと、このフードの中央部に形成されたフード本体部と、このフード本体部の両側に形成されると共に前記フード本体部の上下方向寸法よりも上下方向寸法が小さく形成されたフードサイド部と、前記フード本体部の下端部に形成された開口部と、前記フードの外周部背面に形成されたリブ板と、前記フードサイド部の上方及び下方のリブ板に形成されたビス孔と、前記リブ板の背面側に突出形成されると共に前記リブ板よりも上下方向寸法及び左右方向寸法が小さく形成された矩形枠状のリブ突起枠部と、を有してなることを特徴としている。
請求項３の考案は、建築物の壁体に取り付けられる換気口であって、前方方向に向って突出して形成されたフードと、このフードの中央部に形成されたフード本体部と、このフード本体部の両側に一体形成されると共に前記フード本体部の上下方向寸法よりも上下方向寸法が小さく形成されたフードサイド部と、前記フード本体部の下端部に形成された開口部と、前記フードの外周部背面に形成されたリブ板と、前記フードサイド部の上方近傍及び下方近傍のリブ板に形成されたビス孔と、前記リブ板の背面側に突出形成されると共に前記リブ板よりも上下方向寸法及び左右方向寸法が小さく形成された矩形枠状のリブ突起枠部と、を有してなることを特徴としている。
【考案の効果】
【０００５】
本考案は、換気口を建築物の壁体の内壁体に直接取り付ける場合にフランジ部が設けられていないので換気口を取り付ける場合に壁体の内壁体と外壁体との間に隙間が生じないため、外壁体を内壁体に容易に取り付けることができるという優れた効果を有する。
本考案は、換気口を建築物の壁体の外壁体に直接取り付ける場合にコーキングしたコーキング材の密着性がよいため短期間の経年変化でコーキング材が剥離したり取れたりしたりすることを防止できるという優れた効果を有する。
【０００６】
考案を実施するために最良の形態の例として以下のような実施例を示す。
【実施例１】
【０００７】
図１〜図７には本考案の換気口の一実施例が示されている。
図１、図３〜図５に示されるように、換気口としての屋外側換気口１０の中央正面にはフード１２が前方方向に向って突出するように形成されている。このフード１２の中央部にはフード本体部１２Ａが形成され、フード本体部１２Ａの両側にはフード本体部１２Ａの上下方向寸法よりも上下方向寸法が小さく設定されたフードサイド部１２Ｂ，１２Ｂが一体形成されている。
図５に示されるように、前記フード本体部１２Ａの下端部には開口部１４が形成されている。この開口部１４には格子状のグリル体１６が形成されている。
図１〜図５に示されるように、前記フード１２の外周部背面にはリブ板２０が形成されている。また、前記フードサイド部１２Ｂ，１２Ｂの上方近傍及び下方近傍のリブ板２０にはビス孔形成部２２が形成されている。これらビス孔形成部２２にはビス孔２４が貫通形成されている。これらビス孔２４には図示しないビスが挿通されて屋外側換気口１０を壁体４（図６、図７参照）に固定できるようになっている。
図２及び図３に示されるように、前記リブ板２０の背面側には矩形枠状のリブ突起枠部２６が背面方向に突出して一体形成されている。このリブ突起枠部２６は前記リブ板２０よりも上下方向寸法及び左右方向寸法が小さく設定されている。
従って、前記リブ板２０の端面２０Ａよりもリブ突起枠部２６の端面２６Ａの方が内側に位置するようになっている。
【０００８】
次に、実施例の作用について説明する。
図６に示されるように、前記屋外側換気口１０を建築物の壁体４の内壁体４Ａに直接固定して取り付ける場合は、屋外側換気口１０を前記換気口取付用枠体に対応させて、ビスをリブ板２０のビス孔２４に挿入して屋外側換気口１０を固定する。そして、前記屋外側換気口１０が挿通できる開口部が形成された外壁体４Ｂを室外側から前記内壁体４Ａに固定する。
従って、屋外側換気口１０には幅広なフランジ部が設けられていないため、屋外側換気口１０を取り付ける場合に前記内壁体４Ａと外壁体４Ｂとの間にはほとんど隙間が生じないので外壁体４Ｂを内壁体４Ａに容易に取り付けることができる。
また、図７に示されるように、壁体４の内壁体４Ａに取り付けられた外壁体４Ｂに屋外側換気口１０を直接取り付ける場合は、屋外側換気口１０を換気口取付用枠体に対応させてビスをリブ板２０のビス孔２４に挿入して屋外側換気口１０を前記外壁体４Ｂに固定する。
次に、屋外側換気口１０と外壁体４Ｂとの水密性を高めるために前記屋外側換気口１０の外側縁をコーキング材６でコーキングするが、外壁体４Ｂとリブ板２０の間のリブ突起部２６は窪んだ状態になるので外壁体４Ｂとリブ板２０の間にコーキング材６が入り込むと共にコーキング材６は外壁体４Ｂとリブ板２０とリブ突起枠部２６の３面で接着するので接着面が三面となり接着面積が多くなる。この結果、短期間の経年変化でコーキング材６が剥離したり取れたりしたりすることを防止することができる。
【０００９】
なお、実施例では換気口として建築物の壁体４の屋外側に取り付けられる屋外側換気口１０を例にして説明したが、換気口は屋外側換気口１０に限定されるものでなく、壁体４の屋内側に取り付けられる屋内側換気口でもよいことは勿論である。
また、実施例では本考案を建築物の壁体４に取り付けられる換気口を例にして説明したが、本考案は水密を必要とする建物外部の壁以外の部位に取り付けられる換気口でもよいことは勿論である。
【図面の簡単な説明】
【００１０】
【図１】実施例の屋外側換気口の正面図である。
【図２】実施例の屋外側換気口の背面図である。
【図３】実施例の屋外側換気口の側面図である。
【図４】実施例の屋外側換気口を斜め上方から見た斜視図である。
【図５】実施例の屋外側換気口を斜め下方から見た斜視図である。
【図６】実施例の屋外側換気口の取付状態を示す概略側面図である。
【図７】実施例の屋外側換気口の取付状態を示す概略側面図である。
【図８】従来例の屋外側換気口の正面図である。
【図９】従来例の屋外側換気口の取付状態を示す概略側面図である。
【図１０】従来例の屋外側換気口の取付状態を示す概略側面図である。
【符号の説明】
【００１１】
１０    屋外側換気口
１２    フード
１４    開口部
１６    グリル体
２０    リブ板
２２    ビス孔形成部
２４    ビス孔
２６    リブ突起枠部
【図１】
0003127837.tif 000003
【図２】
0003127837.tif 000004
【図３】
0003127837.tif 000005
【図４】
0003127837.tif 000006
【図５】
0003127837.tif 000007
【図６】
0003127837.tif 000008
【図７】
0003127837.tif 000009
【図８】
0003127837.tif 000010
【図９】
0003127837.tif 000011
【図１０】
0003127837.tif 000012